【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に配置される状態で、前記撮像部等が周囲またはユーザーを撮像可能な第１位置」と、「前記撮像部等が前記第１位置に配置されたときと比較して前記撮像部等がユーザーの顔をその鼻の穴がより目立たない角度から撮像可能な第２位置であって、前記筐体の上端部から少なくとも約２ｃｍ以上の所定の距離だけユーザーから見て上方向に離れた第２位置」との間で、移動可能に支持する支持部と、
を備えたことを特徴とする、テレビ通話機能付き携帯端末。
【請求項２】
携帯端末の少なくとも「操作部及び／又は表示部」を収容又は保持する第１筐体と、
「静止画や動画などの映像を取得する撮像部、又は、撮像部の一部である撮像用レンズなどから成る撮像用の光学系部」（以下「撮像部等」という）を収容又は保持する第２筐体と、
前記第１筐体に備えられた支持部であって、前記第２筐体を、「前記第２筐体が、前記撮像部等がユーザーを撮像可能であるように、前記第１筐体の上端部の近傍に配置される第１位置」と、「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間で、移動可能に支持する支持部と、
を備えたことを特徴とする、テレビ通話機能付き携帯端末。
【請求項３】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に位置しており、前記撮像部等が前記ユーザーの顔を撮像可能な第１位置」と「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間において、移動可能に支持する支持部と、
を備えたことを特徴とする、テレビ通話機能付き携帯端末。
【請求項４】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に配置される状態で、前記撮像部等が周囲またはユーザーを撮像可能な第１位置」と、「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間で、移動可能に支持する支持部と、
を備えたことを特徴とする、テレビ通話機能付き携帯端末。
【請求項５】
請求項１から４までのいずれかにおいて、
前記支持部は、無線通信用のアンテナ部を含むもの、又は、無線通信用のアンテナの支持軸を兼ねるものである、ことを特徴とする、テレビ通話機能付き携帯端末。
【請求項６】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に配置される状態で、前記撮像部等が周囲またはユーザーを撮像可能な第１位置」と、「前記撮像部等が前記第１位置に配置されたときと比較して前記撮像部等がユーザーの顔をその鼻の穴がより目立たない角度から撮像可能な第２位置であって、前記筐体の上端部から少なくとも約２ｃｍ以上の所定の距離だけユーザーから見て上方向に離れた第２位置」との間で、移動可能に支持する支持部と、
を備えたことを特徴とする、テレビ通話機能付き携帯端末。
【請求項７】
携帯端末の少なくとも「操作部及び／又は表示部」を収容又は保持する第１筐体と、
「静止画や動画などの映像を取得する撮像部、又は、撮像部の一部である撮像用レンズなどから成る撮像用の光学系部」（以下「撮像部等」という）を収容又は保持する第２筐体と、
前記第１筐体に備えられた支持部であって、前記第２筐体を、「前記第２筐体が、前記撮像部等がユーザーを撮像可能であるように、前記第１筐体の上端部の近傍に配置される第１位置」と、「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間で、移動可能に支持する支持部と、
を備えたことを特徴とする、テレビ通話機能付き携帯端末。
【請求項８】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に位置しており、前記撮像部等が前記ユーザーの顔を撮像可能な第１位置」と「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間において、移動可能に支持する支持部と、
を備えたことを特徴とする、テレビ通話機能付き携帯端末。
【請求項９】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に配置される状態で、前記撮像部等が周囲またはユーザーを撮像可能な第１位置」と、「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間で、移動可能に支持する支持部と、
を備えたことを特徴とする、テレビ通話機能付き携帯端末。
【請求項１０】
請求項６から９までのいずれかにおいて、
前記支持部は、無線通信用のアンテナ部を含むもの、又は、無線通信用のアンテナの支持軸を兼ねるものである、ことを特徴とする、テレビ通話機能付き携帯端末。
【請求項１１】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に配置される状態で、前記撮像部等が周囲またはユーザーを撮像可能な第１位置」と、「前記撮像部等が前記第１位置に配置されたときと比較して前記撮像部等がユーザーの顔をその鼻の穴がより目立たない角度から撮像可能な第２位置であって、前記筐体の上端部から少なくとも約２ｃｍ以上の所定の距離だけユーザーから見て上方向に離れた第２位置」との間で、移動可能に支持する支持部と、
を備えたことを特徴とする、テレビ通話機能付き携帯端末。
【請求項１２】
携帯端末の少なくとも「操作部及び／又は表示部」を収容又は保持する第１筐体と、
「静止画や動画などの映像を取得する撮像部、又は、撮像部の一部である撮像用レンズなどから成る撮像用の光学系部」（以下「撮像部等」という）を収容又は保持する第２筐体と、
前記第１筐体に備えられた支持部であって、前記第２筐体を、「前記第２筐体が、前記撮像部等がユーザーを撮像可能であるように、前記第１筐体の上端部の近傍に配置される第１位置」と、「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間で、移動可能に支持する支持部と、
を備えたことを特徴とする、テレビ通話機能付き携帯端末。
【請求項１３】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に位置しており、前記撮像部等が前記ユーザーの顔を撮像可能な第１位置」と「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間において、移動可能に支持する支持部と、
を備えたことを特徴とする、テレビ通話機能付き携帯端末。
【請求項１４】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に配置される状態で、前記撮像部等が周囲またはユーザーを撮像可能な第１位置」と、「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間で、移動可能に支持する支持部と、
を備えたことを特徴とする、テレビ通話機能付き携帯端末。
【請求項１５】
請求項１１から１４までのいずれかにおいて、
前記支持部は、無線通信用のアンテナ部を含むもの、又は、無線通信用のアンテナの支持軸を兼ねるものである、ことを特徴とする、テレビ通話機能付き携帯端末。
【請求項１６】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に配置される状態で、前記撮像部等が周囲またはユーザーを撮像可能な第１位置」と、「前記撮像部等が前記第１位置に配置されたときと比較して前記撮像部等がユーザーの顔をその鼻の穴がより目立たない角度から撮像可能な第２位置であって、前記筐体の上端部から少なくとも約２ｃｍ以上の所定の距離だけユーザーから見て上方向に離れた第２位置」との間で、移動可能に支持する支持部と、
を備えたことを特徴とする、テレビ通話機能付き携帯端末。
【請求項１７】
携帯端末の少なくとも「操作部及び／又は表示部」を収容又は保持する第１筐体と、
「静止画や動画などの映像を取得する撮像部、又は、撮像部の一部である撮像用レンズなどから成る撮像用の光学系部」（以下「撮像部等」という）を収容又は保持する第２筐体と、
前記第１筐体に備えられた支持部であって、前記第２筐体を、「前記第２筐体が、前記撮像部等がユーザーを撮像可能であるように、前記第１筐体の上端部の近傍に配置される第１位置」と、「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間で、移動可能に支持する支持部と、
を備えたことを特徴とする、テレビ通話機能付き携帯端末。
【請求項１８】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に位置しており、前記撮像部等が前記ユーザーの顔を撮像可能な第１位置」と「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間において、移動可能に支持する支持部と、
を備えたことを特徴とする、テレビ通話機能付き携帯端末。
【請求項１９】
「静止画や動画などの映像を取得する撮像部、又は、撮像部の一部である撮像用レンズなどから成る撮像用の光学系部」（以下「撮像部等」という）と、
前記携帯端末に備えられた支持部であって、前記撮像部等を、「前記携帯端末の筐体の上端部の近傍に配置される状態で、前記撮像部等が周囲またはユーザーを撮像可能な第１位置」と、「前記撮像部等が前記第１位置に配置されたときと比較して前記撮像部等がユーザーの顔をその鼻の穴がより目立たない角度から撮像可能であって、前記第１位置から所定の距離だけユーザーから見て上方に在る第２位置」との間で、移動可能に支持する支持部と、
を備えたことを特徴とする、テレビ通話機能付き携帯端末。
【請求項２０】
請求項１６から１９までのいずれかにおいて、
前記支持部は、無線通信用のアンテナ部を含むもの、又は、無線通信用のアンテナの支持軸を兼ねるものである、ことを特徴とする、テレビ通話機能付き携帯端末。